(57)【要約】【目的】高齢者などにとっても簡単で且つ直感的な動作を行うだけで済む、カードと情報端末を使用した発呼及び電子メール送信方法、並びに、カードにより発呼及び電子メール送信できる情報端末を提供する。【構成】各相手先を示す情報を一方の面にそれぞれ表示しており且つ前記各相手方の電話番号又は電子メールアドレス又は用件を記録したＩＣチップとアンテナを内蔵している複数のカードの中の任意の１枚又は複数のカードを選択し、この任意に選択した１枚又は複数のカードを、近距離非接触型読み取り装置に近づけて、相手先の電話番号、電子メールアドレス、又は／及び電子メールの用件を読み取り、前記相手先の電話番号を宛先とする発呼情報を送信したり、前記相手先メールアドレスへの電子メールを送信したり、前記用件を含む電子メールを送信したりできる方法及びこれに使用する情報端末である。【選択図】    図１
2005303695.tif 000002
【特許請求の範囲】
【請求項１】
カードと情報端末を使用した発呼方法であって、
各相手先を示す情報を一方の面にそれぞれ表示しており且つ前記各相手方の電話番号を記録したＩＣチップとこのＩＣチップに記録された情報を外部に無線送信するためのアンテナをそれぞれ内蔵している複数のカードの中の任意の一つ又は複数のカードを選択するステップと、
この任意に選択した一つ又は複数のカードを、情報端末に内蔵又は外付けされた近距離非接触型読み取り装置に近づけるステップと、
前記近づけられた一つ又は複数のカードから一つ又は複数の相手先の電話番号を読み取るステップと、
前記読み取られた一つ又は複数の相手先の電話番号を宛先とする発呼情報を、前記相手先が複数の場合は同時に又は所定の順序で、無線基地局に向けて無線送信するステップと、
を含むことを特徴とするカードと情報端末を使用した発呼方法。
【請求項２】
カードと情報端末を使用した電子メール送信方法であって、
各相手先を示す情報を一方の面にそれぞれ表示しており且つ前記各相手方の電子メールアドレスを記録したＩＣチップとこのＩＣチップに記録された情報を外部に無線送信するためのアンテナをそれぞれ内蔵している複数のカードの中の任意の一つ又は複数のカードを選択するステップと、
この任意に選択した一つ又は複数のカードを、情報端末に内蔵又は外付けされた近距離非接触型読み取り装置に近づけるステップと、
前記近づけられた一つ又は複数のカードから一つ又は複数の相手先の電子メールアドレスを読み取るステップと、
前記読み取られた一つ又は複数の相手先の電子メールアドレスを送信先とする電子メールを作成するステップと、
前記作成された電子メールを前記一つ又は複数の相手先に送信するステップと、
を含むことを特徴とするカードと情報端末を使用した電子メール送信方法。
【請求項３】
カードと情報端末を使用した電子メール送信方法であって、
各相手先を示す情報を一方の面にそれぞれ表示しており且つ前記各相手方の電子メールアドレスを記録したＩＣチップとこのＩＣチップに記録された情報を外部に無線送信するためのアンテナをそれぞれ内蔵している複数のカードの中の任意の一つ又は複数のカードを選択するステップと、
前記ステップと同時に又は前後して、各用件を示す情報を一方の面にそれぞれ表示しており且つ各用件の内容を記録したＩＣチップとこのＩＣチップに記録された情報を外部に無線送信するためのアンテナをそれぞれ内蔵している複数のカードの中の任意の一つ又は複数のカードを選択するステップと、
前記の選択した相手先を示す一つ又は複数のカードと前記の選択した用件を示す一つ又は複数のカードとを、情報端末に内蔵又は外付けされた近距離非接触型読み取り装置に近づけるステップと、
前記近づけられた複数のカードから、一つ又は複数の相手先の電子メールアドレスを読み取ると共に、一つ又は複数の用件の内容を読み取るステップと、
前記読み取られた一つ又は複数の相手先の電子メールアドレスを送信先とし、前記読み取られた一つ又は複数の用件の内容を本文とする電子メールを作成するステップと、
前記作成された一つ又は複数の電子メールを前記一つ又は複数の相手先に送信するステップと、
を含むことを特徴とするカードと情報端末を使用した電子メール送信方法。
【請求項４】
各相手先を示す情報を一方の面にそれぞれ表示しており且つ前記各相手方の電話番号を記録したＩＣチップとこのＩＣチップに記録された情報を外部に無線送信するためのアンテナをそれぞれ内蔵している一つ又は複数のカードがユーザーによって近づけられたとき、前記一つ又は複数のカードのＩＣチップにそれぞれ記録された相手先の電話番号を近距離から非接触で読み取るための読み取り手段と、
前記読み取り手段により読み取られた一つ又は複数の相手先の電話番号を宛先とする一つ又は複数の発呼情報を、無線基地局に向けて無線送信する発呼情報送信手段と、
を備えたことを特徴とするカードにより発呼できる情報端末。
【請求項５】
請求項４において、
前記読み取り手段は、前記一つ又は複数のカードから相手先の電話番号を読み取ったとき、自動的に、その電話番号を制御手段に出力するものであり、
前記制御手段は、前記読み取り手段からの前記一つ又は複数の相手先電話番号を受信したとき、自動的に、前記一つ又は複数の相手先電話番号を宛先とする一つ又は複数の発呼情報を無線送信するように、前記発呼情報送信手段を制御するものである、ことを特徴とするカードにより発呼できる情報端末。
【請求項６】
各相手先を示す情報を一方の面にそれぞれ表示しており且つ前記各相手方の電子メールアドレスを記録したＩＣチップとこのＩＣチップに記録された情報を外部に無線送信するためのアンテナをそれぞれ内蔵している一つ又は複数のカードがユーザーによって近づけられたとき、前記一つ又は複数のカードのＩＣチップにそれぞれ記録された相手先の電子メールアドレスを近距離から非接触で読み取るための読み取り手段と、
前記読み取り手段により読み取られた一つ又は複数の電子メールアドレスを送信先とする電子メールを作成するための電子メール作成手段と、
前記電子メール作成手段により作成された一つ又は複数の電子メールを送信するための電子メール送信手段と、
を備えたことを特徴とするカードにより電子メール送信できる情報端末。
【請求項７】
請求項６において、
前記読み取り手段は、前記カードから一つ又は複数の相手先電子メールアドレスを読み取ったとき、その一つ又は複数の電子メールアドレスを、自動的に、第１の制御手段に出力するものであり、
前記第１の制御手段は、前記読み取り手段からの前記一つ又は複数の電子メールアドレスを受信したとき、自動的に、その一つ又は複数の電子メールアドレスを前記電子メール作成手段に出力するものであり、
前記電子メール作成手段は、電子メールを作成したとき、自動的に、その作成済み電子メールを第２の制御手段に出力するものであり、
前記第２の制御手段は、前記電子メール作成手段からの作成済み電子メールを受信したとき、自動的に、その作成済み電子メールを相手先に送信するように前記電子メール送信手段を制御するものである、ことを特徴とするカードにより電子メール送信できる情報端末。
【請求項８】
各相手先を示す情報を一方の面にそれぞれ表示しており且つ前記各相手方の電子メールアドレスを記録したＩＣチップとこのＩＣチップに記録された情報を外部に無線送信するためのアンテナをそれぞれ内蔵している一つ又は複数のカードがユーザーによって近づけられたとき、前記一つ又は複数のカードのＩＣチップにそれぞれ記録された相手先の電子メールアドレスを近距離から非接触で読み取ると共に、各用件の内容を示す情報を一方の面にそれぞれ表示しており且つ各用件の内容を記録したＩＣチップとこのＩＣチップに記録された情報を外部に無線送信するためのアンテナをそれぞれ内蔵している一つ又は複数のカードがユーザーによって近づけられたとき、前記一つ又は複数のカードのＩＣチップにそれぞれ記録された用件の内容を近距離から非接触で読み取るための読み取り手段と、
前記読み取り手段により読み取られた一つ又は複数の電子メールアドレスを送信先とし、且つ、前記読み取り手段により読み取られた一つ又は複数の用件の内容を本文とする電子メールを作成するための電子メール作成手段と、
前記電子メール作成手段により作成された一つ又は複数の電子メールを送信するための電子メール送信手段と、
を備えたことを特徴とするカードにより電子メール送信できる情報端末。
【請求項９】
請求項８において、
前記読み取り手段は、前記カードから相手先電子メールアドレス及び用件の内容を読み取ったとき、その読み取った一つ又は複数の電子メールアドレス及び用件の内容を、自動的に、第１の制御手段に出力するものであり、
前記第１の制御手段は、前記読み取り手段からの前記読み取られた一つ又は複数の電子メールアドレスと用件の内容を受信したとき、自動的に、その一つ又は複数の電子メールアドレス及び用件の内容を前記電子メール作成手段に出力するものであり、
前記電子メール作成手段は、前記読み取り手段からの前記一つ又は複数の電子メールアドレス及び用件の内容を受信したとき、自動的に、前記一つ又は複数の電子メールアドレスを宛先とし前記用件の内容を本文とする電子メールを作成し、その作成済み電子メールを第２の制御手段に出力するものであり、
前記第２の制御手段は、前記電子メール作成手段からの作成済み電子メールを受信したとき、自動的に、前記電子メール送信手段を制御して、前記作成済み電子メールを相手先に送信するものである、ことを特徴とするカードにより電子メール送信できる情報端末。
【発明の詳細な説明】
【技術分野】
【０００１】
本発明は、高齢者でも手軽に利用できる、カードと情報端末を使用した発呼及び電子メール送信方法、並びに、カードにより発呼及び電子メール送信できる情報端末に関する。
【背景技術】
【０００２】
近年の情報端末の普及は目覚ましいものがある。しかしながら、情報端末のユーザーの中には、特に高齢者などで、電話を掛けたり電子メールを送信するために情報端末の小さいキーを操作することが難しいと感じる人が少なくない。高齢者の中には、もともとキー操作に慣れていない人が少なくなく、また老眼や指先の震えなどの症状のために小さいキーを滑らかに扱うことができない人が少なくないからである。
【０００３】
他方、雑誌や通販カタログにインターネット・ホームページのアドレス（ＵＲＬ）を組み込んだ２次元コードを印刷しておき、情報端末に備えられたカメラでこれを読み取って前記ホームページＵＬＲを取得し、そのホームページへのアクセスを可能にするシステムが提案されている（例えば特許文献１参照）。このようなシステムによれば、ユーザーはいちいちＵＲＬをキー入力する必要が無くなり、キー操作の煩わしさから開放される。
【０００４】
しかしながら、前述のような情報端末に備えられたカメラを使用して２次元コードを読み取るという操作そのものに、前記のキー入力と同様の困難さを感じる高齢者は少なくない。また、情報端末に備えられたカメラの操作に慣れた人でも、前述のような２次元コードを読み取るためにはある程度の時間が必要であり、それなりの煩わしさは存在する。
【特許文献１】特開２００３−２４４２８５号公報
【発明の開示】
【発明が解決しようとする課題】
【０００５】
本発明はこのような従来技術の課題に着目してなされたものであって、高齢者などにとっても簡単で且つ直感的な動作を行うだけで容易に情報端末を使用して電話を掛けたり電子メールを送信することができる、カードと情報端末を使用した発呼及び電子メール送信方法、並びに、カードにより発呼及び電子メール送信できる情報端末を提供することを目的とする。
【課題を解決するための手段】
【０００６】
以上のような課題を解決するための本発明によるカードと情報端末を使用した発呼方法は、各相手先を示す情報を一方の面にそれぞれ表示しており且つ前記各相手方の電話番号を記録したＩＣチップとこのＩＣチップに記録された情報を外部に無線送信するためのアンテナをそれぞれ内蔵している複数のカードの中の任意の一つ又は複数のカードを選択するステップと、この任意に選択した一つ又は複数のカードを、情報端末に内蔵又は外付けされた近距離非接触型読み取り装置に近づけるステップと、前記近づけられた一つ又は複数のカードから一つ又は複数の相手先の電話番号を読み取るステップと、前記読み取られた一つ又は複数の相手先の電話番号を宛先とする発呼情報を、前記相手先が複数の場合は同時に又は所定の順序で、無線基地局に向けて無線送信するステップと、を含むことを特徴とするものである。
【０００７】
また、本発明によるカードと情報端末を使用した電子メール送信方法は、各相手先を示す情報を一方の面にそれぞれ表示しており且つ前記各相手方の電子メールアドレスを記録したＩＣチップとこのＩＣチップに記録された情報を外部に無線送信するためのアンテナをそれぞれ内蔵している複数のカードの中の任意の一つ又は複数のカードを選択するステップと、この任意に選択した一つ又は複数のカードを、情報端末に内蔵又は外付けされた近距離非接触型読み取り装置に近づけるステップと、前記近づけられた一つ又は複数のカードから一つ又は複数の相手先の電子メールアドレスを読み取るステップと、前記読み取られた一つ又は複数の相手先の電子メールアドレスを送信先とする電子メールを作成するステップと、前記作成された電子メールを前記一つ又は複数の相手先に送信するステップと、を含むことを特徴とするものである。
【０００８】
また、本発明によるカードと情報端末を使用した電子メール送信方法は、各相手先を示す情報を一方の面にそれぞれ表示しており且つ前記各相手方の電子メールアドレスを記録したＩＣチップとこのＩＣチップに記録された情報を外部に無線送信するためのアンテナをそれぞれ内蔵している複数のカードの中の任意の一つ又は複数のカードを選択するステップと、前記ステップと同時に又は前後して、各用件を示す情報を一方の面にそれぞれ表示しており且つ各用件の内容を記録したＩＣチップとこのＩＣチップに記録された情報を外部に無線送信するためのアンテナをそれぞれ内蔵している複数のカードの中の任意の一つ又は複数のカードを選択するステップと、前記の選択した相手先を示す一つ又は複数のカードと前記の選択した用件を示す一つ又は複数のカードとを、情報端末に内蔵又は外付けされた近距離非接触型読み取り装置に近づけるステップと、前記近づけられた複数のカードから、一つ又は複数の相手先の電子メールアドレスを読み取ると共に、一つ又は複数の用件の内容を読み取るステップと、前記読み取られた一つ又は複数の相手先の電子メールアドレスを送信先とし、前記読み取られた一つ又は複数の用件の内容を本文とする電子メールを作成するステップと、前記作成された一つ又は複数の電子メールを前記一つ又は複数の相手先に送信するステップと、を含むことを特徴とするものである。
【０００９】
また、本発明によるカードにより発呼できる情報端末は、各相手先を示す情報を一方の面にそれぞれ表示しており且つ前記各相手方の電話番号を記録したＩＣチップをそれぞれ内蔵している一つ又は複数のカードがユーザーによって近づけられたとき、前記一つ又は複数のカードのＩＣチップにそれぞれ記録された相手先の電話番号を近距離から非接触で読み取るための読み取り手段と、前記読み取り手段により読み取られた一つ又は複数の相手先の電話番号を宛先とする一つ又は複数の発呼情報を、無線基地局に向けて無線送信する発呼情報送信手段と、を備えたことを特徴とするものである。
【００１０】
また、本発明によるカードにより発呼できる情報端末においては、前記読み取り手段は、前記一つ又は複数のカードから相手先の電話番号を読み取ったとき、自動的に、その電話番号を制御手段に出力するものであり、前記制御手段は、前記読み取り手段からの前記一つ又は複数の相手先電話番号を受信したとき、自動的に、前記一つ又は複数の相手先電話番号を宛先とする一つ又は複数の発呼情報を無線送信するように、前記発呼情報送信手段を制御するものである、ことが望ましい。
【００１１】
また、本発明によるカードにより電子メール送信できる情報端末は、各相手先を示す情報を一方の面にそれぞれ表示しており且つ前記各相手方の電子メールアドレスを記録したＩＣチップとこのＩＣチップに記録された情報を外部に無線送信するためのアンテナをそれぞれ内蔵している一つ又は複数のカードがユーザーによって近づけられたとき、前記一つ又は複数のカードのＩＣチップにそれぞれ記録された相手先の電子メールアドレスを近距離から非接触で読み取るための読み取り手段と、前記読み取り手段により読み取られた一つ又は複数の電子メールアドレスを送信先とする電子メールを作成するための電子メール作成手段と、前記電子メール作成手段により作成された一つ又は複数の電子メールを送信するための電子メール送信手段と、を備えたことが望ましい。
【００１２】
また、本発明によるカードにより電子メール送信できる情報端末においては、前記読み取り手段は、前記カードから一つ又は複数の相手先電子メールアドレスを読み取ったとき、その一つ又は複数の電子メールアドレスを、自動的に、第１の制御手段に出力するものであり、前記第１の制御手段は、前記読み取り手段から前記一つ又は複数の電子メールアドレスを受信したとき、自動的に、その一つ又は複数の電子メールアドレスを前記電子メール作成手段に出力するものであり、前記電子メール作成手段は、電子メールを作成したとき、自動的に、その作成済み電子メールを第２の制御手段に出力するものであり、前記第２の制御手段は、前記電子メール作成手段から作成済み電子メールを受信したとき、自動的に、その作成済み電子メールを相手先に送信するように前記電子メール送信手段を制御するものである、ことが望ましい。
【００１３】
また、本発明によるカードにより電子メール送信できる情報端末は、各相手先を示す情報を一方の面にそれぞれ表示しており且つ前記各相手方の電子メールアドレスを記録したＩＣチップとこのＩＣチップに記録された情報を外部に無線送信するためのアンテナをそれぞれ内蔵している一つ又は複数のカードがユーザーによって近づけられたとき、前記一つ又は複数のカードのＩＣチップにそれぞれ記録された相手先の電子メールアドレスを近距離から非接触で読み取ると共に、各用件の内容を示す情報を一方の面にそれぞれ表示しており且つ各用件の内容を記録したＩＣチップとこのＩＣチップに記録された情報を外部に無線送信するためのアンテナをそれぞれ内蔵している一つ又は複数のカードがユーザーによって近づけられたとき、前記一つ又は複数のカードのＩＣチップにそれぞれ記録された用件の内容を近距離から非接触で読み取るための読み取り手段と、前記読み取り手段により読み取られた一つ又は複数の電子メールアドレスを送信先とし、且つ、前記読み取り手段により読み取られた一つ又は複数の用件の内容を本文とする電子メールを作成するための電子メール作成手段と、前記電子メール作成手段により作成された一つ又は複数の電子メールを送信するための電子メール送信手段と、を備えたことを特徴とするものである。
【００１４】
さらに、本発明によるカードにより電子メール送信できる情報端末においては、前記読み取り手段は、前記カードから相手先電子メールアドレス及び用件の内容を読み取ったとき、その読み取った一つ又は複数の電子メールアドレス及び用件の内容を、自動的に、第１の制御手段に出力するものであり、前記第１の制御手段は、前記読み取り手段から前記の読み取った一つ又は複数の電子メールアドレスと用件の内容を受信したとき、自動的に、その一つ又は複数の電子メールアドレス及び用件の内容を前記電子メール作成手段に出力するものであり、前記電子メール作成手段は、前記読み取り手段から前記一つ又は複数の電子メールアドレス及び用件の内容を受信したとき、自動的に、前記一つ又は複数の電子メールアドレスを送信先アドレスとし前記用件の内容を本文とする電子メールを作成し、その作成済み電子メールを第２の制御手段に出力するものであり、前記第２の制御手段は、前記電子メール作成手段から作成済み電子メールを受信したとき、自動的に、前記電子メール送信手段を制御して、前記作成済み電子メールを相手先に送信するものである、ことが望ましい。
【発明の効果】
【００１５】
本発明においては、ユーザーは、「各相手先を示す情報を一方の面にそれぞれ表示しており且つ前記各相手方の電話番号を記録したＩＣチップとこのＩＣチップに記録された情報を外部に送信するためのアンテナをそれぞれ内蔵している複数のカード」の中の任意の複数の（一つ又は複数の）カードを選択し、それらを読み取り装置に（前記読み取り装置が読み取り可能な距離まで）近づけて読み取らせることにより、ユーザーが発呼を希望する相手先電話番号を情報端末に取得させることができる。よって、ユーザーは、キー操作やカメラによる読み取り操作などの面倒な操作を行うことなく、「複数の（一つ又は複数の）カードを選んで近づけるという直感的な動作を行うだけ」で、希望する相手先電話番号への発呼を行うことができる。
【００１６】
また、本発明においては、ユーザーは、「各相手先を示す情報を一方の面にそれぞれ表示しており且つ前記各相手方の電子メールアドレスを記録したＩＣチップとこのＩＣチップに記録された情報を外部に送信するためのアンテナをそれぞれ内蔵している複数のカード」の中の任意の複数の（一つ又は複数の）カードを選択し、それらを読み取り装置に（前記読み取り装置が読み取り可能な距離まで）近づけて読み取らせることにより、電子メールの相手先アドレスを情報端末に取得させることができる。よって、ユーザーは、キー操作やカメラによる読み取り操作などの面倒な操作を行うことなく、「複数の（一つ又は複数の）カードを選んで近づけるという直感的な動作を行うだけ」で、希望する相手先への電子メールの送信を行うことができる。
【００１７】
また、本発明においては、ユーザーは、「各相手先を示す情報を一方の面にそれぞれ表示しており且つ前記各相手方の電子メールアドレスを記録したＩＣチップとこのＩＣチップに記録された情報を外部に送信するためのアンテナをそれぞれ内蔵している複数のカード」の中の任意のカードと、「各用件の内容を示す情報を一方の面にそれぞれ表示しており且つ各用件の内容を記録したＩＣチップをそれぞれ内蔵している複数のカード」の中の任意のカードを選択し、それらを読み取り装置に（前記読み取り装置が読み取り可能な距離まで）近づけて読み取らせることにより、電子メールの相手先アドレスと電子メールの本文を情報端末に取得させることができる。よって、ユーザーは、キー操作やカメラによる読み取り操作などの面倒な操作を行うことなく、「複数のカードを選んで近づけるという直感的な動作を行うだけ」で、希望する相手先への希望する本文の内容を有する電子メールを作成し、その送信を行うことができる。
【発明を実施するための最良の形態】
【００１８】
本発明を実施するための最良の形態は、以下の実施例１について述べるような形態である。
【実施例１】
【００１９】
図１は本発明の実施例１によるカードと携帯電話を使用した発呼及び電子メール送信方法とそのための装置を説明するための概略ブロック図である。図１において、１（１ａ−１ｅ）は、それぞれ、ユーザーの友人、親戚、かかりつけの医療機関などを示す文字や画像が表面に表示されており且つその友人・親戚・医療機関などの電話番号が記録されたＩＣチップとこのＩＣチップと外部との間で情報を無線で送受信するためのアンテナとから成るＩＣタグ（ＲＦＩＤタグ）を内蔵したプラスチック製又は紙製のカードである。
【００２０】
また、２（２ａ−２ｅ）は、それぞれ、ユーザーの友人、親戚、かかりつけの医療機関などを示す文字や画像が表面に表示されており且つその友人・親戚・医療機関などの電子メールアドレスが記録されたＩＣチップとこのＩＣチップと外部との間で情報を無線で送受信するためのアンテナとから成るＩＣタグ（ＲＦＩＤタグ）を内蔵したプラスチック製又は紙製のカードである。
【００２１】
また、３（３ａ−３ｅ）は、それぞれ、ユーザーが電子メールを作成するための各用件の内容を示す文字や画像が表面に表示されており且つその各用件の内容が記録されたＩＣチップとこのＩＣチップと外部との間で情報を無線で送受信するためのアンテナとから成るＩＣタグ（ＲＦＩＤタグ）を内蔵したプラスチック製又は紙製のカードである。
【００２２】
これらのカード群１，２，３（１ａ−１ｅ，２ａ−２ｅ，３ａ−３ｅ）は、通常、ユーザーが自宅で又は外出先で携帯電話と共に保持している。これらのカード群１，２，３（１ａ−１ｅ，２ａ−２ｅ，３ａ−３ｅ）は、いずれも、カードリーダライタ（後述）と交信可能な近距離（例えば１−２ｃｍ以下）までカードリーダライタに近接されたとき、そのカードリーダライタから送信される電磁波を電力源として前記内蔵のＩＣチップが作動を開始し、前記ＩＣチップ及びアンテナと前記カードリーダライタとの間でデータをやり取りできるようになっている。
【００２３】
また、図１において、４は本実施例１に使用されるユーザーの携帯電話（本発明の情報端末の一例）、５はこの携帯電話４との間で発呼などの通話に必要な情報や電子メールを無線で送受信するための無線基地局である。前記携帯電話４は、前記無線基地局５を介して、公衆携帯電話網への、さらにインターネット網へのアクセスが可能となっている。
【００２４】
次に、前記携帯電話４の内部構造を説明する。図１において、１１はＣＰＵ（中央処理装置）などにより構成される制御部、１２はプログラムやデータを記録し前記制御部１１との間でプログラムやデータをやり取りするメモリ、１４は前記制御部１１からのデータ（電子メールアドレスや用件の内容）に基づいて電子メールを作成するための電子メール作成部、１５は前記制御部１１にデータを入力するためのキーボード、１６は前記制御部１１からの制御により所定の情報を表示するための表示部、１７はユーザーからの音声を入力するためのマイク、１８は電話の相手からの音声を出力するためのスピーカ、１９は前記制御部１１からの制御により前記無線基地局５との間でデータを無線で送受信するための送受信部、である。
【００２５】
また、図１において、１０は、前記携帯電話４とケーブル１０ｂ（図２（ｂ）参照）を介して電気的に接続されているカードリーダライタである。前記カードリーダライタ１０は、前記カード群１，２，３（１ａ−１ｅ，２ａ−２ｅ，３ａ−３ｅ）との間で無線でデータをやり取りすることができる非接触型のカードリーダライタである。前記カードリーダライタ１０は、箱型の筐体１０ａ（図２（ｂ）参照）を備えており、携帯電話４にケーブルを介して外付けされている。なお、本発明においては、前記カードリーダライタ１０は、携帯電話４にケーブルを介して外付けするのではなく、携帯電話４に内蔵するようにしてもよい。
【００２６】
本実施例１では、前記カードリーダライタ１０は、前記カード１，２，３が例えば１−２ｃｍ以下の近距離に近づけられたとき（例えばユーザーが前記カードをカードリーダライタ１０にかざしたとき）、前記カード１，２，３に対して電磁波を送信することにより前記ＩＣチップへ電力を供給し、前記カード１，２，３側からその内部のＩＣチップに記録されたデータを無線送信してもらうことにより、データを読み取る。また、前記カードリーダライタ１０は、ユーザーの操作などにより、前記カード１，２，３に新たなデータを書き込むこともできる。
【００２７】
ユーザーが前記カード群１−３の中から相手先電話番号を記録している一つ又は複数のカードを選択して、その選択した一つ又は複数のカードをカードリーダライタ１０にかざしたとき、前記カードリーダライタ１０は、自動的に、前記一つ又は複数のカードから相手先電話番号を読み取り、その読み取った一つ又は複数の相手先電話番号を前記制御部１１に出力する。前記制御部１１は、前記カードリーダライタ１０から前記カードリーダライタ１０が読み取った相手先電話番号（ユーザーが発呼を希望する相手先電話番号）を受信したときは、自動的に、その電話番号を発呼するための発呼情報を、前記送受信部１９に出力し、前記送受信部１９を制御して、前記発呼情報の前記無線基地局５への無線送信を開始させる。
【００２８】
また、ユーザーが前記カード群１−３の中から相手先電子メールアドレスを記録している一つ又は複数のカードを選択して、その選択した一つ又は複数のカードをカードリーダライタ１０にかざしたとき、前記カードリーダライタ１０は、自動的に、前記一つ又は複数のカードから相手先電子メールアドレスを読み取り、その読み取った一つ又は複数の相手先電子メールアドレスを前記制御部１１に出力する。前記制御部１１は、前記カードリーダライタ１０から前記の読み取られた相手先電子メールアドレス（ユーザーが電子メールの送信を希望する相手先の電子メールアドレス）を受信したときは、自動的に、その電子メールアドレスを前記メール作成部１４に出力する。前記メール作成部１４は、前記制御部１１から前記電子メールアドレスを受信したときは、その電子メールアドレスを宛先とする電子メールを自動作成する。なお、このとき、前記電子メール作成部１４は本文及び件名を自動作成できるデータをも前記制御部１１から受信していないときは、本文及び件名の欄がスペース（空欄）のままの作成途中の電子メールの画面を表示部１６に表示して、前記制御部１１からの指示又はユーザーからの入力などを待つ。電子メールの作成が完了したときは、前記電子メール作成部１４は、作成済みの電子メールを前記制御部１１に出力する。前記制御部１１は、前記電子メール作成部１４からの作成済み電子メールを前記送受信部に出力し、前記送受信部１９を制御して、前記作成済み電子メールの前記無線基地局５への無線送信を開始させる。
【００２９】
また、ユーザーが前記カード群１−３の中から電子メールの用件の内容（定型文）を記録している一つ又は複数のカードを選択して、その選択した一つ又は複数のカードをカードリーダライタ１０にかざしたとき、前記カードリーダライタ１０は、自動的に、前記一つ又は複数のカードから前記電子メールの用件の内容（定型文）を読み取り、その読み取った一つ又は複数の電子メールの用件の内容（定型文）を前記制御部１１に出力する。前記制御部１１は、前記カードリーダライタ１０から前記の読み取られた電子メールの用件の内容（定型文）を受信したときは、自動的に、その電子メールの用件の内容（定型文）を前記メール作成部１４に出力する。前記メール作成部１４は、前記制御部１１から前記電子メールの用件の内容（定型文）を受信したときは、その電子メールの用件の内容（定型文）を本文とする（さらに、前記用件の内容の一部を件名とする）電子メールを自動作成する。なお、このとき、前記電子メール作成部１４は相手先電子メールアドレスのデータをも前記制御部１１から受信していないときは、宛先の欄がスペース（空欄）のままの作成途中の電子メールの画面を表示部１６に表示して、前記制御部１１からの指示又はユーザーからの入力などを待つ。電子メールの作成が完了したときは、前記電子メール作成部１４は、作成済みの電子メールを前記制御部１１に出力する。前記制御部１１は、前記電子メール作成部１４からの作成済み電子メールを前記送受信部に出力し、前記送受信部１９を制御して、前記作成済み電子メールの前記無線基地局５への送信を開始させる。
【００３０】
次に、図２を参照して、本実施例１によりユーザーが希望する複数の相手先に電話を掛けるときの動作を説明する。今、ユーザーが、図２（ａ）に示すカード群１−３（１ａ−１ｅ，２ａ−２ｅ，及び３ａ−３ｅ）の中から、電話を掛けたいと希望する相手先を示すカードとして、カード１ａとカード１ｃとの２枚を選んだとする。
【００３１】
ユーザーは、図２（ｂ）に示すように、この２枚のカード１ａ，１ｃを、纏めて一緒に前記カードリーダライタ１０に近づける（例えば、前記カードリーダライタ１０の筐体１０ａの上に軽く接触させる）。すると、前記カードリーダライタ１０から電磁波が送信されて前記カード１ａ，１ｃ内の各ＩＣチップに電源が供給され、前記各ＩＣチップ及びアンテナから、前記各ＩＣチップに記録されたデータ、すなわち、Ａという友人（相手先）の電話番号とＢという友人（相手先）の電話番号のデータが、ほぼ同時に（極めて短時間内に）前記カードリーダライタ１０に無線で送信され、読み取られる。前記カードリーダライタ１０は、この読み取った各データを前記制御部１１に出力する。
【００３２】
前記カードリーダライタ１０から前記友人（相手先）Ａ及びＢの電話番号データが前記制御部１１に出力されると、前記制御部１１は、自動的に、その電話番号データに基づいて前記ＡとＢへの発呼情報を生成し、前記送受信部１９を制御して前記発呼情報を無線基地局５へ無線送信させる。これにより、ユーザーの携帯電話４から前記ＡとＢの電話番号への発呼が開始され、通話状態に遷移する。図２（ｃ）は、このようにして、ユーザーと前記ＡとＢとの３者間で通話状態が設定され、この３者間でテレビ会談（テレビ会議）が行われている状態を示す図である。
【００３３】
以上により、ユーザーから友人Ａ，Ｂへの電話の発呼情報が送信され、通話が行える状態となる。すなわち、本実施例１によれば、ユーザーは、「前記カード群１−３の中から、希望する相手先のカード１ａ，１ｃを選んで、これらを前記カードリーダライタ１０に近づけるという動作」を行うだけで、希望する相手先へ携帯電話を掛けることができる。よって、ユーザーは、携帯電話の小さいキーを操作するなどの煩わしい操作を行うことなく、希望する相手先に携帯電話を掛けることができる。
【００３４】
なお、本実施例では、前述のように、前記カードリーダライタ１０から前記友人（相手先）Ａ及びＢの電話番号データが前記制御部１１に出力されると、前記制御部１１が前記送受信部１９を制御して自動的に前記相手先に発呼するようにしているが、本発明では、前記カードリーダライタ１０から前記友人（相手先）Ａ及びＢの電話番号データが前記制御部１１に出力されたとき、前記制御部１１が、いったん、その電話番号と相手先の氏名を表示部１６に表示させて、ユーザーからの確認（その相手先に発呼してよいかどうかの確認）の入力があってから、発呼を開始するようにしてもよい。
【００３５】
また、本実施例では、ユーザーが前記カード１ａとカード１ｃとの２枚を選んで、その２枚のカード１ａ，１ｃを、纏めて一緒に前記カードリーダライタ１０に近づける（例えば、前記カードリーダライタ１０の筐体１０ａの上にかざすか軽く接触させる）場合を説明したが、本発明においては、１枚だけのカードを前記カードリーダライタ１０に近づけるようにしてもよいし、３枚以上のカードを纏めて一緒に前記カードリーダライタ１０に近づけるようにしてもよい。前記カードリーダライタ１０は、複数枚のカードが近づけられたときは、それらのカードをほぼ同時に（極めて短時間内に）読み取ることができるように構成されている。
【００３６】
次に、図３を参照して、本実施例１によりユーザーが希望する複数の相手先に希望する用件の電子メールを送信するときの動作を説明する。今、ユーザーが、釣り仲間である友人２人に釣りの誘いの電子メールを送信したいと希望したとする。このとき、まず、ユーザーは、図３（ａ）に示すカード群１−３（１ａ−１ｅ，２ａ−２ｅ，及び３ａ−３ｅ）の中から、電子メールを送信したいと希望する相手先を示すカードとして、釣り仲間の友人ａ，ｄを示す２つのカード２ａ，２ｄの２枚を選ぶ。また、これと同時に又は前後して、ユーザーは、図３（ａ）に示すカード群１−３（１ａ−１ｅ，２ａ−２ｅ，及び３ａ−３ｅ）の中から、電子メールの用件を示すカードとして、ロ（「釣りに行きませんか？」）という用件を示すカード３ｂと、ホ（「連絡して下さい」）という用件を示すカード３ｅとの２枚を選ぶ。
【００３７】
その後、ユーザーは、図３（ｂ）に示すように、これらの選んだ合計４枚のカード２ａ，２ｄ，３ｂ，３ｅを、纏めて一緒に前記カードリーダライタ１０に近づける（例えば、前記カードリーダライタ１０の筐体１０ａの上にかざすか軽く接触させる）。すると、前記カードリーダライタ１０から電磁波が送信されて前記各カード２ａ，２ｄ，３ｂ，３ｅ内の各ＩＣチップに電源が供給され、前記各ＩＣチップ及びそれに接続されたアンテナから、前記各ＩＣチップに記録されたデータ、すなわち、ａという友人（相手先）の電子メールアドレスと、ｄという友人（相手先）の電子メールアドレスと、ロ（「釣りに行きませんか？」）という用件と、ホ（「連絡して下さい」）という用件とを示すデータが、ほぼ同時に（極めて短時間内に）、前記カードリーダライタ１０に無線で送信され、読み取られる。前記カードリーダライタ１０は、この読み取った各データを前記制御部１１に出力する。
【００３８】
前記カードリーダライタ１０から、前記の読み取られた各データが前記制御部１１に出力されると、前記制御部１１は、それらの各データを前記電子メール作成部１４に出力し、電子メールを自動作成させる。
【００３９】
前記電子メール作成部１４は、前記制御部１１から前記各データが送られてくると、前記各データに基づいて、ユーザーが希望する電子メールを自動的に作成する。すなわち、前記電子メール作成部１４は、前記各データに基づいて、前記の２人の友人（相手先）ａ，ｄの電子メールアドレスを送信先とし、前記のロ（「釣りに行きませんか？」）という用件とホ（「連絡して下さい」）という用件との２つの用件の内容を本文とし、前記のロ（「釣りに行きませんか？」）という用件の一部を件名とし、ユーザーの名前を作成者署名とする電子メールを自動的に作成する（図３（ｃ）参照）。
【００４０】
前記電子メール作成部１４は、図３（ｃ）のような電子メールを作成すると、この作成済み電子メールを前記制御部１１に出力する。前記制御部１１は、この作成済み電子メールを前記送受信部１９に出力し、前記送受信部１９を制御して、前記作成済み電子メールを前記無線基地局５に無線送信させる。
【００４１】
以上により、ユーザーから釣り仲間の友人ｂ，ｄを宛先とし「釣りに行きませんか？  連絡して下さい」という本文を有する電子メールが、前記友人ａ，ｄに送信される。すなわち、本実施例１によれば、ユーザーは、「前記カード群１−３の中から、希望する相手先のカード２ａ，２ｄと希望する用件のカード３ｂ，３ｅを選んで、これらを前記カードリーダライタ１０に近づけるという動作」を行うだけで、希望する相手先への希望する用件の電子メールを自動的に作成し、自動的に送信することができる。よって、ユーザーは、携帯電話の小さいキーの操作などの煩わしい操作を行うことなく、希望する相手先に希望する用件の電子メールを作成して送信することができる。
【００４２】
なお、本実施例では、前述のように、前記カードリーダライタ１０から前記の読み取った各データが前記制御部１１に出力されると、前記制御部１１が、その各データを前記電子メール作成部１４に出力して電子メールを自動作成させ、さらにこの自動作成された作成済み電子メールを前記送受信部１９により自動的に無線送信するようにしているが、本発明では、前記制御部１１が、いったん、電子メール作成部１４からの作成済み電子メール（図３（ｃ）参照）を表示部１６に表示させて、ユーザーからの確認（その作成済み電子メールを送信してよいかどうかの確認）の入力があってから、前記無線送信を開始するようにしてもよい。
【００４３】
また、以上の実施例では、ユーザーが前記カード２ａ，２ｃ，３ｃ，３ｅの計４枚を選んで、その４枚のカード２ａ，２ｃ，３ｃ，３ｅを、纏めて一緒に前記カードリーダライタ１０に近づける（例えば、前記カードリーダライタ１０の筐体１０ａの上に軽く接触させる）場合を説明したが、本発明はこれらに限られるものではない。例えば、本発明においては、１枚だけのカードを前記カードリーダライタ１０に近づけるようにしてもよいし、電子メールの相手先を示す１枚又は複数枚のカードのみ（用件を示すカードを含まない）を前記カードリーダライタ１０に近づけるようにしてもよいし、電子メールの用件を示す１枚又は複数枚のカードのみ（相手先メールアドレスを示すカードを含まない）を前記カードリーダライタ１０に近づけるようにしてもよい。
【００４４】
電子メールの相手先を示す１枚又は複数枚のカードのみを前記カードリーダライタ１０に近づけるようにした場合は、前記電子メール作成部１４が、図３（ｃ）に示す電子メール画面の代わりに、本文と件名が空欄になっている作成途中の電子メールの画面を表示部１６に表示するので、ユーザーは、この表示部１６の画面を見ながら、キーボード１５から本文と件名を入力して電子メールを完成させる（前記キーボード１５での入力に代えて、マイク１７から音声入力してもよい）。また、電子メールの用件の内容を示す１枚又は複数枚のカードのみを前記カードリーダライタ１０に近づけるようにした場合は、前記電子メール作成部１４が、図３（ｃ）に示す電子メール画面の代わりに、宛先が空欄となっている作成途中の電子メールの画面を表示部１６に表示するので、ユーザーは、この表示部１６の画面を見ながら、キーボード１５から宛先の電子メールアドレスを入力して電子メールを完成させる（前記キーボード１５での入力に代えて、マイク１７から音声入力してもよい）。
【００４５】
また、以上の実施例では、相手先の電話番号と電子メールアドレスとを、それぞれ、電話番号を記録したカード１ａ−１ｅと、電子メールアドレスを記録したカード２ａ−２ｅとに分けて記録させるようにしているが、本発明は、これに限られるものではなく、同じ相手先の電話番号と電子メールアドレスとを一枚のカードのＩＣチップに合わせて記録させるようにしてもよい。このようにした場合は、カードを前記カードリーダライタ１０に近づけたとき、前記カードリーダライタ１０は電話番号と電子メールアドレスとの両者を合わせて読み取ることになるので、ユーザーがキー操作などにより電話と電子メール送信とのいずれを希望するかを前記制御部１１に指示してやる必要がある。あるいは、この場合は、ユーザーがキー操作などにより前記制御部１１から前記カードリーダライタ１０に制御情報を送信して、前記カードリーダライタ１０が前記各カードから電話番号と電子メールアドレスのいずれを読み取るかを、前記カードリーダライタ１０に指示するようにしてもよい。
【００４６】
また、本発明において、前記携帯電話４は、インターネット・プロトコル（ＩＰ）により制御されるＩＰ通信網を利用するＩＰ携帯電話であってもよいことは勿論である。また、前記実施例では、カードと携帯電話を使用した発呼及びメール送信方法とそのための装置について説明したが、本発明では、前記携帯電話を、ＰＤＡ（パーソナル・デジタル・アシスタント）、パーソナル・コンピュータ（パソコン）、ＩＰ固定電話などの他の情報端末に置き換えてもよいことは、勿論である。また、前記実施例では、相手先の電話番号やメールアドレスを記録したプラスチック製又は紙製カードを使用したが、このカードは、ビジネスマンが商談時などに交換する名刺（電話番号や電子メールアドレスを記録したＩＣチップとアンテナを内蔵した名刺）でもよいことは勿論である。
【図面の簡単な説明】
【００４７】
【図１】本発明の実施例１によるカードと携帯電話を使用した発呼及び電子メール送信方法とそのための装置を説明するための概略ブロック図。
【図２】本実施例１によりユーザーが希望する複数の相手先に電話を掛けるときの動作を説明するための図。
【図３】本実施例１によりユーザーが希望する複数の相手先に希望する用件の電子メールを送信するときの動作を説明するための図。
【符号の説明】
【００４８】
１ａ−ｅ，２ａ−ｅ，３ａ−ｅ カード
４          携帯電話
５          無線基地局
１０      カードリーダライタ
１０ａ  筐体
１１      制御部
１４      電子メール作成部
１５      キーボード
１６      表示部
１７      マイク
１８      スピーカ
１９      送受信部
【図１】
2005303695.tif 000003
【図２】
2005303695.tif 000004
【図３】
2005303695.tif 000005